(57)【要約】      （修正有）【課題】断続的に起こる排尿、排便の漏れを吸引し人工肛門用面板交換の際の一時的な時間的余裕を作り出すことができる人工肛門装具ケア補助器具を提供する。【解決手段】人工肛門用装具を交換する際に、搾便ヘッド２と、搾便ヘッド２に取り付けられ搾便ヘッドの内部に負圧を発生させる負圧発生手段１とを備える。負圧発生手段１を、搾便ヘッド２の空間に満たされた流体を吸引する吸引装置で構成し、搾便ヘッド２と、当該負圧発生手段１を連通可能に構成される。【選択図】図１
0003159727.tif 000002
【実用新案登録請求の範囲】
【請求項１】
搾便ヘッドと、搾便ヘッドに取り付けられ搾便ヘッドの内部に負圧を発生させる負圧発生手段とを備えた人工肛門用装具ケア補助器具において負圧発生手段を、搾便ヘッドの空間に満たされた流体を吸引する吸引装置で構成し、搾便ヘッドと、当該負圧発生手段を連通可能に構成されたことを特徴とする人工肛門用ケア補助器具。
【請求項２】
負圧発生手段は、弾性を有する蛇腹部を備えた中空状の伸縮体である請求項１記載の人工肛門用ケア補助器具。
【請求項３】
負圧発生手段は、圧縮後の弾性復元により搾便ヘッドの内部の空間の流体を吸引する中空弾性体である請求項１記載の人工肛門用ケア補助器具。
【考案の詳細な説明】
【技術分野】
【０００１】  本考案は人工肛門用装具の交換を簡便にするためのケア補助器具に関するものである。
【背景技術】
【０００２】  従来人工肛門用装具としては底部が開口した底部開口型と、袋状の閉塞型の二種類が使用されている。この二種類の人工肛門用装具には人工肛門用面板と人工肛門用パウチが装着されており、人工肛門部を該人工肛門用面板に設けられた透孔に挿入し、貼着剤等により人体と貼着し使用されている。尚、以下、人工肛門用面板を面板、人工肛門用パウチをパウチと記載する。
【考案の開示】
【考案が解決しようとする課題】
【０００３】  人工肛門用装具を交換する際は皮膚の洗浄後の乾燥処理が必要であるが、腹部に露出させている腸管（以下ストーマという）より断続的に排尿、排便の漏れが生じる為に乾燥を困難とさせている。【０００４】  ストーマからの排尿、排便の漏れを抑える為に紙などの吸収体を使うと、ストーマからの断続的な漏れにより吸収体にかなりの水分を含み、何度かの吸収体の交換が必要となる。【０００５】  人工肛門用装具交換の際、密着度を高める為ストーマ周辺の乾燥が必要となる。その為、ストーマからの排尿、排便の漏れが面板交換部分の皮膚を濡らさぬよう迅速な処置が必要となる。【０００６】  人工肛門用装具交換時、迅速な処置が求められるが、その為確実さが減少され、面板の縒れ、ずれ等が発生する確率が高くなる。【０００７】  本考案は上述の障害と欠点を予防、改善する為になされたものであり、身体障害者が悩んでいた障害と、面板取り扱い上の手間などの削減に寄与できる人工肛門用装具ケア補助器具を提供する事を技術的課題とする。【０００８】  上記の問題点を解決するため、面板を交換する際に、密着部の肌の洗浄後、乾燥させるまでの間の一時的な排尿、排便の漏れを防止する為、使い捨ての紙などの素材による吸収体を挿入固定でき且つ容易に取り出し得る一端が開口される吸収体の取出口を有する円筒状容器の他端部に、該容器の円筒直径より小さな直径の球体状取手を設ける人工肛門用装具ケア補助具が提案されている。（特許文献１参照）【０００９】  しかしながら、上記の補助具では、各個人によってストーマの形状は異なり。突出状、平坦状、陥没状等様々であり特に平坦状、陥没状の場合はストーマ部に固定することができず手で支えるしかない。【００１０】  また通常、人間の便には無数の異物が含まれているため特許文献１の発明のような紙等の吸収体では一時的にせよ完全に便を吸収させることは解決できない問題である。【００１１】  本考案は、上記従来技術の問題点に鑑みなされたものであり、あらゆる形状のストーマ部に固定でき、異物を含んだ便も一時的に貯留でき面板交換の際の時間的余裕を作り出すことを目的とするものである。【００１２】
【特許文献１】登録実用新案第３１２３０９４号公報
【課題を解決するための手段】
【００１３】  このため、本考案の人工肛門用装具ケア補助器具は、搾便ヘッドと搾便ヘッドに取り付けられ、搾便ヘッドの内部に負圧を発生させる負圧発生手段とを備えた人工肛門用装具ケア補助器具において負圧発生手段を、搾便ヘッドの空間に満たされた流体を吸引する吸引装置で構成し、搾便ヘッドを、当該負圧発生手段と連通可能な構成としたことを第１の特徴とする。【００１４】  次に、負圧発生手段は、弾性を有する蛇腹部を備えた中空状の伸縮体であることを第２の特徴とする【００１５】  次に、負圧発生手段は、圧縮後の弾性復元により搾便ヘッドの内部の空間の流体を吸引する中空弾性体であることを第３の特徴とする。
【考案の効果】
【００１６】  上述のように、本考案の人工肛門用装具ケア補助器具はあらゆる形状のストーマ部に固定でき、しかも異物を含んだ便も一時的に貯留することができ、両手を使った肌の洗浄、乾燥に専念することができるため人工肛門保有者が悩んでいた障害と、面板取り扱い上の手間等の削減に寄与できる。
【考案を実施するための最良の形態】
【００１７】  以下、本考案を実施するための最良の形態を図面に示す実施例に基づいて説明する。図１は、本考案に係る人工肛門用装具ケア補助器具の一実施例を示す断面図である。図２、は図１の外形を示す斜視図である。図３は、本考案に係る人工肛門用装具ケア補助器具の使用開始の状態の一実施例を示す説明図である。図４は、本考案に係る人工肛門用装具ケア補助器具の使用終了の状態の一実施例を示す説明図である。図５は、本考案に係る人工肛門用装具ケア補助器具の当該負圧発生手段の容量を増加させたものである。図６は、本考案に係る人工肛門用装具ケア補助器具の当該負圧発生手段を圧縮後の弾性復元により搾便ヘッドの内部の流体を吸引する中空弾性体とした一実施例を示す断面図である。
【実施例１】
【００１８】  図１及図２に示すように、本考案に係る人工肛門用装具ケア補助器具１（以下本考案器具１という）において、搾便ヘッド２の素材は人体に害を及ぼさない物であれば特に限定されないが例えばシリコンラバー等の合成ゴムが好ましい。蛇腹部１は弾力性を有する合成樹脂等適宜素材にて搾便ヘッドと連通可能に構成された負圧発生手段であり、蛇腹を圧縮することにより負圧を発生させ先端部２２がストーマ部に吸着してストーマからの便の漏れを防止し面板交換の際の時間的余裕を作り出すものである。【００１９】  図１において蛇腹部１と搾便ヘッド２はｂ部より着脱自在であっても接着されていて一体であってもよいがストーマの形状又は大きさは個人によって違うため形状や大きさの違う搾便ヘッドを何種類か用意する場合は着脱自在の方が好ましい。【００２０】  図３に示すようにストーマ４に本考案器具１を吸着させ漏出する便を吸引させている間にストーマ部周囲を洗浄し、面板３に設けられている透孔７に本考案器具１を通し面板３をストーマ部の洗浄して乾燥させた部位に貼着する。望ましくは搾便ヘッド２の先端部２２の裏側にストーマ部との密着性を高めるために水又はペースト状の皮膚保護材を塗布するのもよい。【００２１】  図４の状態より搾便ヘッド２の首部２１を指で強く掴み吸引された便が漏出しないように本考案器具１を引き抜けば面板の人体との貼着は終了となる。
【実施例２】
【００２２】  図５は面板交換の際の時間的余裕を増すために便の貯留量を増加させた本考案器具１の一実施例を示す断面図である。搾便ヘッド２１ａは図２に示す搾便ヘッドの首部２１を本考案器具１をストーマ部に吸着させた際に重量バランスによる脱落を防止するために人体下方に向けて曲折させたものであり、１ａは図１に示す蛇腹部の容量を増加させたものである。
【実施例３】
【００２３】  図６は本考案器具１の負圧発生手段を圧縮後の弾性復元により搾便ヘッドの内部の流体を吸引する弾力性を有する合成樹脂等適宜素材、例えばシリコンゴムや天然ゴムにて中空弾性体とした一実施例を示す断面図である。
【図面の簡単な説明】
【００２４】
【図１】  本考案器具１の一実施例を示す断面図である。
【図２】  図１の外形を示す斜視図である。
【図３】  本考案器具１の使用開始の状態の一実施例を示す説明図である。
【図４】  本考案器具１の使用終了の状態の一実施例を示す説明図である。
【図５】  本考案器具１の当該負圧発生手段の容量を増加させたものであり便の貯留量が増加し面板交換の際の時間的余裕を増した本考案器具１の一実施例を示す断面図である。
【図６】  本考案器具１の当該負圧発生手段を圧縮後の弾性復元により搾便ヘッドの内部の流体を吸引する中空弾性体とした一実施例を示す断面図である。
【符号の説明】
【００２５】１      蛇腹部
２      搾便ヘッド
２１    首部
２１ａ  曲折首部
２２    先端部
３      面板
４      ストーマ
５      人体
６      パウチ
７      透孔
８      中空弾性体部
【図１】
0003159727.tif 000003
【図２】
0003159727.tif 000004
【図３】
0003159727.tif 000005
【図４】
0003159727.tif 000006
【図５】
0003159727.tif 000007
【図６】
0003159727.tif 000008